【手続補正書】
【提出日】平成26年10月23日(2014.10.23)
【手続補正１】
【補正対象書類名】明細書
【補正対象項目名】全文
【補正方法】変更
【補正の内容】
【発明の詳細な説明】
【発明の名称】ガス器具
【技術分野】
【０００１】
本発明は、ガス器具に関し、詳細には、音声ガイドを行うか否かの設定を切り替えることができるガス器具に関する。
【背景技術】
【０００２】
近年、ガス器具の一種であるガス湯沸器において、故障の発生する可能性が高い状態（例えば、一定年数、一定回数以上の使用状態時）となっている場合には、事故発生を未然に防止するために、ユーザに対してガス給湯装置の点検を促す旨の通知を行うことが義務化されつつある。このような中、バーナの燃焼量を積算する積算手段と報知手段とを備え、積算手段による積算燃焼量が設定値以上となった場合に、メンテナンスが必要な状態であると判断して、その旨を報知手段により報知する給湯装置が提案されている（例えば特許文献１及び２参照）。これらの給湯装置においては、メンテナンスが必要であることや電池寿命になったこと等を音声ガイドにて報知している。しかし、音声ガイドを好まない使用者もおり、音声ガイドを行うか否かの設定を専用のスイッチを設けて行うことも考えられる。
【先行技術文献】
【特許文献】
【０００３】
【特許文献１】特開平７−１９４６７号公報
【特許文献２】特開２００９−１０３４２８号公報
【発明の概要】
【発明が解決しようとする課題】
【０００４】
しかしながら、専用のスイッチ等を設置するのはスペースやコスト的に困難な場合がある。また、専用のスイッチ等を基板上に実装する方法も考えられるが、使用者が基板上のスイッチを操作するのは、ガス器具の外部筐体を外す必要等があり望ましくない。また、既存のスイッチを利用し、例えば、二つのスイッチを同時押し等を行うことも考えらるが、操作が煩雑になり誤操作の原因になる恐れがある。
【０００５】
本発明は、上記課題を解決するためになされたものであり、新たなスイッチ等を設けることなく、音声ガイドを行うか否かの設定を簡単に変更できるガス器具を提供することを目的とする。
【課題を解決するための手段】
【０００６】
上記目的を達成するために、請求項１に係る発明のガス器具は、ガスバーナを備えたガス器具であって、当該ガス器具を制御する制御手段と、当該ガス器具を操作する操作部と、音声ガイドを行う音声ガイド手段と、前記音声ガイド手段による音声ガイドを行うか否かの設定を記憶する不揮発メモリと、前記操作部の特定操作が行われた場合に、音声ガイドを行うか否かの現在の設定と異なる設定を前記不揮発メモリに記憶する記憶制御手段とを備え、前記制御手段は、前記不揮発メモリに記憶された設定に基づいて前記音声ガイド手段を制御することを特徴とする。
【０００７】
また、請求項２に係る発明のガス器具は、請求項１に記載の発明の構成に加え、前記報知制御手段は、前記記憶制御手段は、所定時間内に前記操作部の前記特定操作が所定回数行われた場合に、音声ガイドを行うか否かの現在の設定と異なる設定を前記不揮発メモリに記憶することを備えたことを特徴とする。
【０００８】
また、請求項３に係る発明のガス器具は、請求項１又は２に記載の発明の構成に加え、内部に水が通水する通水管と、当該通水管内に水を流す通水操作がなされたか否かを検知する通水操作検知手段を備え、前記通水操作検知手段が前記通水操作を所定時間内に所定回数検知した場合に、前記記憶制御手段は、音声ガイドを行うか否かの現在の設定と異なる設定を前記不揮発メモリに記憶することを特徴とする。
【０００９】
また、請求項４に係る発明のガス器具は、請求項１〜３に記載の発明の構成に加え、前記制御手段に電力を供給する電源と、前記記憶制御手段により現在の設定と異なる設定が前記不揮発メモリに記憶された時からの経過時間を計時する計時手段を備え、前記記憶制御手段は、計時手段による計時が開始されてから規定時間経過するまでの間、前記電源からの電力の供給が維持された場合に、変更される前の設定を前記不揮発メモリに記憶させる機能を有しており、計時手段による計時が開始されてから規定時間経過するまでの間に前記電源からの電力の供給が停止した場合に、前記記憶制御手段により変更され前記不揮発メモリに記憶された設定が維持されることを特徴とする。
【００１０】
また、請求項５に係る発明のガス器具は、請求項４に記載の発明の構成に加え、前記電源は電池であり、前記電源判断手段は、前記電池が外された場合に、電力の供給が停止されたと判断することを特徴とする。
【発明の効果】
【００１１】
請求項１に係る発明のガス器具では、操作部の特定操作が行われた場合に、音声ガイドを行うか否かの現在の設定と異なる設定を記憶制御手段が前記不揮発メモリに記憶する。従って、新たなスイッチ等を設けることなく、音声ガイドを行うか否かの設定を簡単に変更できる。
【００１２】
また、請求項２に係る発明のガス器具では、所定時間内に前記操作部の前記特定操作が所定回数行われた場合に、音声ガイドを行うか否かの現在の設定と異なる設定を前記不揮発メモリに記憶するので、一つの操作部で、ガス器具本来の操作と音声ガイドを行うか否かの現在の設定と異なる設定を前記不揮発メモリに記憶する指示の操作とを行うことができる。また、前記操作部の前記特定操作が所定回数行われた場合に、音声ガイドを行うか否かの現在の設定と異なる設定を前記不揮発メモリに記憶するので、誤操作を防止できる。
【００１３】
また、請求項３に係る発明のガス器具では、通常の温水を出す操作と異なる通水の操作を所定時間内に所定回数検知した場合に、前記記憶制御手段は、音声ガイドを行うか否かの現在の設定と異なる設定を前記不揮発メモリに記憶するので、新たなスイッチ等を設けることなく操作部の特定の操作で音声ガイドを行うか否かの設定を簡単に変更できる。
【００１４】
請求項４に係る発明のガス器具では、前記記憶制御手段は、計時手段による計時が開始されてから規定時間経過するまでの間、前記電源からの電力の供給が維持された場合に、変更される前の設定を前記不揮発メモリに記憶させ、計時手段による計時が開始されてから規定時間経過するまでの間に前記電源からの電力の供給が停止した場合に、前記記憶制御手段により変更され前記不揮発メモリに記憶された設定が維持されるので、電源の供給の停止のタイミングで音声ガイドを行うか否かの設定を簡単に変更できる。
【００１５】
請求項５に係る発明のガス器具では、電池の抜き取りにより音声ガイドを行うか否かの設定を簡単に変更できる。
【図面の簡単な説明】
【００１６】
【図１】湯沸器１の断面図である。
【図２】操作ボタン５４の正面図である。
【図３】湯沸器１の電気的構成を示すブロック図である。
【図４】湯沸器１の通常動作時のフローチャートである。
【図５】湯沸器１の音声モード切替処理のフローチャートである。
【発明を実施するための形態】
【００１７】
以下、本発明のガス器具の一実施形態である湯沸器１について、図面を参照して説明する。はじめに、図１を参照し、湯沸器１の全体構造について説明する。図１に示すように、湯沸器１は、金属製のケース状の器具（図示外）を備える。この器具内の中段よりやや上側には、ガスを燃焼させるメインバーナ１４が設けられている。このメインバーナ１４には、連続スパークによってメインバーナ１４に点火する点火電極４４が設けられ、その点火電極４４にはイグナイタ４３（図３参照）が接続されている。また点火電極４４の隣には、メインバーナ１４の炎を検知するためのフレームロッド４５が設けられている。そしてメインバーナ１４の上方には、メインバーナ１４の燃焼排気熱によって伝熱管１２ａの通水を加熱する熱交換器１２が設けられている。
【００１８】
また、図２に示すように器具の湯沸器１の正面には操作部２が設けられ、その操作部２には操作ボタン５４（図１及び図２参照）が設けられている。操作ボタン５４の周囲の操作部２には、お湯の温度を示す温度メモリ３と、操作ボタン５４をこの位置まで回すと水が出ることを示す水マーク４が印刷されている。また、操作部２には、電池寿命やメンテナンス時期や不完全燃焼等を報知するおしらせサインランプ８が設けられている。おしらせサインランプ８は、内部にＬＥＤ７７（図３参照）が設けられ点滅するようになっている。さらに、操作部２の下部には、ガスの量を小から大の間で変更するガス量調節つまみ５が設けられている。
【００１９】
また、器具には、ガスが流入するガス口２１と、水が流入する水入口２５と、湯が流出する出湯口２８とが各々設けられている。そしてガス口２１とメインバーナ１４との間にはガス管２２が接続され、水入口２５と熱交換器１２の入口との間には給水管１６が接続され、出湯口と熱交換器１２の出口との間には出湯管１８が接続されている。
【００２０】
さらに、給水管１６の元には給止水栓２０が設けられている。この給止水栓２０には、水栓パイロットバルブ２６が設けられている。さらに水栓パイロットバルブ２６と操作ボタン５４との間には、操作ボタン５４の操作によって動く連動レバー３０，３２が介設されている。つまり操作ボタン５４が押下されると、連動レバー３０，３２は水栓パイロットバルブ２６を開くように作用する。これにより給水管１６に水が流れるようになっている。尚、操作ボタン５４を回してのポインタ５４ａを水マーク４に合わせた場合には、通水管２３に水が加熱されずに流れ、出湯口２８からは水がそのまま流れ出るようになっている。
【００２１】
他方、ガス管２２の元には給ガス栓２４が設けられている。この給ガス栓２４には、給水管１６に水が流れるとそれに連動して開く水圧応動弁３４と、点火トラブル等を未然に防止するためのマグネット式のガス電磁弁３６と、そのガス電磁弁３６を開閉するマグネット開弁機構３７と、給ガス栓２４内の給ガス流路を操作ボタン５４の操作によって開閉するための器具栓３８とが各々設けられている。そして水栓パイロットバルブ２６と水圧応動弁３４とは、突棒４０を介して連動するように構成されている。この突棒４０には、突棒４０の移動に伴ってオン／オフ信号を出力する水流スイッチ５０，５１が各々設けられている。さらに給ガス栓２４の下流側には、供給ガス圧の変動を調整するガスガバナ２９が設けられている。
【００２２】
また、メインバーナ１４には、メインバーナ１４の立ち消え又は酸欠を検知する一次熱電対５８が設けられている。また、一次熱電対５８には、センシングバーナ５３が併設されている。これにより一次熱電対５８は、センシングバーナ５３の炎により直接加熱される。さらに、熱交換器１２には、フィン１２ｂの目詰まりを検知する二次熱電対６０が設けられている。二次熱電対６０は、熱交換器１２の側壁に設けられた開口（図示外）に臨む位置に配置されている。
【００２３】
そして、上記構造を備えた器具内には、湯沸器１の動作を制御するための制御基板６２（図３参照）が設けられている。この制御基板６２には、一次熱電対５８、二次熱電対６０（以降、これらをまとめて「熱電対７０」という）、水流スイッチ５０，５１、イグナイタ４３、フレームロッド４５、ガス電磁弁３６等が各々接続されている。つまり熱電対７０、水流スイッチ５０，５１、フレームロッド４５の各出力信号に基づいて、イグナイタ４３及びガス電磁弁３６の駆動が制御される。
【００２４】
次に、図３を参照し、制御基板６２の構成について説明する。図３に示すように、制御基板６２には、中央演算処理装置としてのＣＰＵ７１と、各種制御プログラム（図４及び図５参照）、各種データの初期値等を記憶したＲＯＭ７２と、ＣＰＵ７１の演算処理中に発生するデータ等を一時的に記憶するＲＡＭ７３と、カウンタやパラメータ等を記憶する不揮発性記憶素子であるＥＥＰＲＯＭ７４と、ＣＰＵ７１を駆動するためのクロックを供給する発振子７５とが設けられている。また、熱電対７０による起電力を検出する熱電対回路７８と、イグナイタ４３を制御するイグナイタ回路７９と、ガス電磁弁３６を制御するマグネット駆動回路８０と、フレームロッド４５からの出力信号を検知するフレームロッド回路８２と、熱電対回路７８とフレームロッド回路８２から出力される検出信号により駆動する安全回路８１とが設けられている。また、水流スイッチ５０、５１が接続されている。また、使用者に対して電池の電力低下やメンテナンスの必要性を報知するためのＬＥＤ７７が設けられている。このＬＥＤは、電池電力低下の際は点灯し、後述の報知の際は点滅する構成を採っている。さらに、これらを駆動するために必要な電力供給する電池７６が接続されている。また、ＣＰＵ７１には音声回路６が接続され、当該音声回路６には、音声ガイドを発音するスピーカ７が接続されている。
【００２５】
次に、図４のフローチャートを参照し、湯沸器１の通常時の動作について説明する。本実施形態の湯沸器１は、音声によるガイド機能を備えておりスピーカ７から電気寿命やメンテナンス時期や不完全燃焼を報知する音声によるガイド機能を備えている。尚、音声によるガイド機能は後述する音声ガイドのモードの切替処理により、音声ガイドを行う「音声ガイド有りモード」と音声ガイドを行わない「音声ガイド無しモード」との間でモードの設定が可能になっている。
【００２６】
出湯する場合には、ユーザによって操作ボタン５４が押下されると、連動レバー３０、３２を介して水栓パイロットバルブ２６が開かれる。すると、給水管１６に水が流れ、その水圧によって突棒４０が押されて、水圧応動弁３４が開かれる。さらに突棒４０に係止されたマグネット開弁機構３７によって、ガス電磁弁３６が開かれる。これと同時に水流スイッチ５０がＯＮされ、マグネット保持電流が流れて励磁されることによってガス電磁弁３６が開放状態に保持される（Ｓ１０）。
【００２７】
他方、器具栓３８は操作ボタン５４が押下されることによって開かれる。これによって給ガス栓２４内の給ガス流路が完全に開かれ、メインバーナ１４にガスが供給される。そして突棒４０が押されると同時に水流スイッチ５１がＯＮされる。そこでイグナイタ４３を駆動させ、点火電極４４をスパークさせることによってメインバーナ１４及びセンシングバーナ５３を点火する（Ｓ１１）。このことにより、燃焼が開始される（Ｓ１１）。
【００２８】
次に、ＥＥＰＲＯＭ７４に記憶されている音声ガイドを行うか否かの設定コードを読み込む（Ｓ１２）。この設定コードは、音声ガイドを行う音声ガイド有りモードの場合には、設定コードとして「１」がＥＥＰＲＯＭ７４に記憶され、音声ガイドを行わない音声ガイド無しモードの場合には、設定コードとして「０」がＥＥＰＲＯＭ７４に記憶されている。
【００２９】
ＥＥＰＲＯＭ７４に設定コードとして「１」が記憶されている、即ち、音声ガイド有りモードの場合には（Ｓ１３：ＹＥＳ）、音声ガイドを行う（Ｓ１４）。例えば、電池７６の電圧が低下している場合には、電池寿命であることを音声で「電池を交換して下さい」とＣＰＵ７１が音声回路６を制御してスピーカ７から発音する。また、一連の出湯操作がなされた出湯回数（点火操作回数）が１０万回以上である場合には、「メンテナンスを受けて下さい」とスピーカ７から発音する。尚、この時に発音と同時にＬＥＤ７７（おしらせサインランプ８）を点滅することによりユーザに対して報知を行う。
【００３０】
尚、ＥＥＰＲＯＭ７４に設定コードとして「０」が記憶されている、即ち、音声ガイド無しモード場合には（Ｓ１３：ＮＯ）、音声ガイドを行わない（Ｓ１７）。そして、燃焼動作を継続し（Ｓ１５）、操作ボタン５４が再度押下され出湯停止の場合には（Ｓ１６：ＹＥＳ）、燃焼及び出湯を停止する（Ｓ１８）。また、操作ボタン５４が再度押下されるまでは（Ｓ１６：ＮＯ）、燃焼を継続する。
【００３１】
次に、図５のフローチャートを参照し、音声ガイド有りモードと音声ガイド無しモードとを切り替える音声モード切替処理について説明する。この音声モード切替処理では、最初に、特定操作が行われたか否かが判断される（Ｓ２１）。特定操作は、通常の点火操作による出湯操作と異なる操作であり、例えば、操作ボタン５４を反時計回りに回しポインタ５４ａを水マーク４に合わせ、３０秒以内に１０回操作ボタン５４を押し下げ、水だけの給水を１０回連続使用した場合である。ここで、時間（３０秒）は、ＣＰＵ７１内のタイマーにより計時される。尚、この特定操作は上記操作に限られず、通常の出湯操作と異なる所定の操作を予め定めておけばよい。特定操作が行われた場合には（Ｓ２１：ＹＥＳ）、ＥＥＰＲＯＭ７４に記憶されている設定コードが読み込まれる（Ｓ２２）。特定操作が行われない場合には（Ｓ２１：ＮＯ）、Ｓ２２からの処理は行われない。
【００３２】
Ｓ２２の処理で設定コードが読み込まれると、音声ガイド有りモードか否かが判断される（Ｓ２３）。読み込まれた設定コードが「１」の場合には、音声ガイド有りモードであるので（Ｓ２３：ＹＥＳ）、ＥＥＰＲＯＭ７４に設定コードとして「０」が記憶され、音声ガイド無しが記憶される（Ｓ２４）。次いで、ＣＰＵ７１の内部タイマーにより計時が開始され（Ｓ２５）、この時に、ＬＥＤ７７（おしらせサインランプ８）が規定時間（例えば、３０秒間）点滅する。次いで、当該規定時間内に電池７６が抜き取られた場合には（Ｓ２６：ＹＥＳ）、音声モード切替処理は終了する（Ｓ２９）。よって、ＥＥＰＲＯＭ７４に音声ガイド無しモードが記憶されたままになる（Ｓ３０）。従って、当初の音声ガイド有りモードが音声ガイド無しモードに切り替えられる。
【００３３】
次いで、前記規定時間内に電池７６が抜き取られない場合には（Ｓ２６：ＮＯ、Ｓ２７：ＹＥＳ）、ＥＥＰＲＯＭ７４に設定コードとして「１」が記憶され、音声ガイド有りが記憶される（Ｓ２８）。従って、当初の音声ガイド有りモードに戻り、音声モード切替処理は終了する。従って、音声ガイドの設定は当初の設定に戻る。尚、Ｓ２７の判断処理でＮＯと判断された場合にはＳ２６の判断処理に戻る。
【００３４】
また、Ｓ２３の判断処理で、ＥＥＰＲＯＭ７４から読み込んだ設定コードが「０」であり、当初が音声ガイド無しモードの場合には（Ｓ２３：ＮＯ）、ＥＥＰＲＯＭ７４に設定コードとして「１」が記憶され、音声ガイド有りが記憶される（Ｓ３１）。次いで、ＣＰＵ７１の内部タイマーにより計時が開始され（Ｓ３２）、この時に、ＬＥＤ７７（おしらせサインランプ８）が規定時間（例えば、３０秒間）点滅する。ついで、当該規定時間内に電池７６が抜き取られた場合には（Ｓ３３：ＹＥＳ）、音声モード切替処理は終了する（Ｓ３６）。よって、ＥＥＰＲＯＭ７４に音声ガイド有りモードが記憶されたままになる（Ｓ３７）。従って、当初の音声ガイド無しモードが音声ガイド有りモードに切り替えられる。
【００３５】
次いで、前記規定時間内に電池７６が抜き取られない場合には（Ｓ３３：ＮＯ、Ｓ３４：ＹＥＳ）、ＥＥＰＲＯＭ７４に設定コードとして「０」が記憶され、音声ガイド無しが記憶される（Ｓ３５）。従って、当初の音声ガイド無しモードに戻り、音声モード切替処理は終了する。従って、音声ガイドの設定は当初の設定に戻る。尚、Ｓ３４の判断処理でＮＯと判断された場合にはＳ３３の判断処理に戻る。
【００３６】
以上に説明したように、本実施の形態の湯沸器１では、操作ボタン５４の特定操作を行い、規定時間内に電池７６を抜き取ることで、当初が音声ガイド無しモードの場合には音声ガイド有りモードに切り替えられ、また、当初が音声ガイド有りモードの場合には音声ガイド無しモードに切り替えられる。従って、音声モードの切替は、使用者が水だけの使用を連続１０回繰り返すことと、規定時間内に電池７６を抜くという簡単な操作をするたけで良く、切替用の専用のスイッチ等を設けることなく、音声ガイドの有無を設定することができる。
【００３７】
以上の発明において、図１に示す湯沸器１が、本発明の「ガス器具」に相当し、図３に示す制御基板６２が、本発明の「制御手段」に相当し、図１及び図２に示す操作ボタン５４が、本発明の「操作部」に相当し、図３に示す音声回路６及びスピーカ７が、本発明の「音声ガイド手段」に相当し、図３に示すＥＥＰＲＯＭ７４が、本発明の「不揮発メモリ」に相当し、図５のフローチャートのＳ２４，Ｓ３１の処理を実行するＣＰＵ７１が、本発明の「記憶制御手段」に相当する。また、図１に示す通水管２３が、本発明の「通水管」に相当し、図５のフローチャートのＳ２１のステップを実行するＣＰＵ７１が、 本発明の「通水操作検知手段」に相当し、図３に示す電池７６が、本発明の「電源」に相当し、図５のフローチャートのＳ２５及びＳ３２のステップを実行するＣＰＵ７１が、 本発明の「計時手段」に相当する。
【００３８】
なお、本発明は、上記実施形態に限定されることなく、種々の変更が可能であることは言うまでもない。上記実施形態においては、特定操作を水のだけ給水連続１０回としたが、回数は１０回に限られず適宜決定すればよい。また、特定操作は水のだけ給水に限られない。また、電力を供給源としては、電池７６に限られず、ＡＣアダプタから供給される直流電源等でもよい。また、規定時間としては、必ずしも３０秒に限られず１分等適宜の時間を設定すればよい。
【産業上の利用可能性】
【００３９】
本発明のガス器具は、音声ガイドを行う湯沸器等のガス器具に適用可能である。
【符号の説明】
【００４０】
１  湯沸器
２  操作部
３  温度メモリ
４  水マーク
５  ガス量調節つまみ
６  アンプ
７  スピーカ
８  おしらせサインランプ
１４  メインバーナ
２３  通水管
５０  水流スイッチ
５１  水流スイッチ
５４  操作ボタン
５４ａ  ポインタ
６２  制御基板
７１  ＣＰＵ
７４  ＥＥＰＲＯＭ
７６  電池
【手続補正２】
【補正対象書類名】図面
【補正対象項目名】図４
【補正方法】変更
【補正の内容】
【図４】
2013064532.tif 000001